(57)【要約】【課題】本発明の目的は、電子機器を使用している状態に応じて、より適切な表示形態で電池の残量表示をすることができる電子機器、および電子機器の制御方法、プログラム、記憶媒体を提供する。【解決手段】本発明の電子機器は、電源オン状態と電源オフ状態とを切り替える指示を行う操作手段と、電池装着部への電池の装着を検知する検知手段と、前記電源オン状態である場合に、第１の表示形態で電池の残量を表示部に表示する第１の制御手段と、前記電源オフ状態であり、前記検知手段で電池の装着を検知した場合、前記電池の残量を前記第１の表示形態よりも粒度の細かい第２の表示形態で前記表示部に表示するように制御する第２の制御手段とを有することを特徴とする。【選択図】図４
2019198137.tif 000002
【特許請求の範囲】
【請求項１】
電源オン状態と電源オフ状態とを切り替える指示を行う操作手段と、
電池装着部への電池の装着を検知する検知手段と、
前記電源オン状態である場合に、第１の表示形態で電池の残量を表示部に表示する第１の制御手段と、
前記電源オフ状態であり、前記検知手段で電池の装着を検知した場合、前記電池の残量を前記第１の表示形態よりも粒度の細かい第２の表示形態で前記表示部に表示するように制御する第２の制御手段と
を有することを特徴とする電子機器。
【請求項２】
第２の制御手段は、前記電源オフ状態であり、前記操作手段が前記電源オン状態に切り替える指示をする場合、所定の期間、前記電池の残量を前記第２の表示形態で前記表示部に表示するように制御する
ことを特徴とする請求項１に記載の電子機器。
【請求項３】
電源オン状態と電源オフ状態とを切り替える指示を行う操作手段と、
電池装着部への電池の装着を検知する検知手段と、
前記電源オン状態である場合に、第１の表示形態で電池の残量を表示部に表示する第１の制御手段と、
前記電源オフ状態であり、前記操作手段が前記電源オン状態に切り替える指示をする場合、所定の期間、前記電池の残量を前記第１の表示形態よりも粒度の細かい第２の表示形態で前記表示部に表示するように制御する第２の制御手段と
を有することを特徴とする電子機器。
【請求項４】
前記電池に充電を行う充電手段を、さらに有し
第２の制御手段は、電源の状態に関わらず、前記充電手段が充電を中断する場合には、所定の期間、前記電池の残量を前記第２の表示形態で前記表示部に表示するように制御する
ことを特徴とする請求項１乃至３のいずれか１項に記載の電子機器。
【請求項５】
電源オン状態と電源オフ状態とを切り替える指示を行う操作手段と、
電池装着部への電池の装着を検知する検知手段と、
前記電池に充電を行う充電手段と、
前記電源オン状態である場合に、第１の表示形態で電池の残量を表示部に表示する第１の制御手段と、
電源の状態に関わらず、前記充電手段が充電を中断する場合には、所定の期間、前記電池の残量を前記第１の表示形態よりも粒度の細かい第２の表示形態で前記表示部に表示するように制御する第２の制御手段と
を有することを特徴とする電子機器。
【請求項６】
第２の制御手段は、前記電源オン状態であり、前記操作手段が前記電源オフ状態に切り替える指示をする場合、所定の期間、前記電池の残量を前記第２の表示形態で前記表示部に表示するように制御する
ことを特徴とする請求項１乃至５のいずれか１項に記載の電子機器。
【請求項７】
前記第１の表示形態は、１０段階以下の複数段階で、前記電池の残量を示す表示形態である
ことを特徴とする請求項１乃至６のいずれか１項に記載の電子機器。
【請求項８】
前記第２の表示形態は、百分率で、前記電池の残量を示す表示形態である
ことを特徴とする請求項１乃至７のいずれか１項に記載の電子機器。
【請求項９】
前記第１の制御手段と前記第２の制御手段は同一の手段である
ことを特徴とする請求項１乃至８のいずれか１項に記載の電子機器。
【請求項１０】
前記第２の制御手段とは異なる、前記電源オフ状態で作動する第３の制御手段を、さらに有し、
前記第２の制御手段は、前記電源オフ状態では、他の手段からの制御がない限り作動せず、
前記電源オフ状態に、前記検知手段が前記電池の装着を検知すると、
前記第３の制御手段は、前記第２の制御手段を作動させる制御をして、
前記第２の制御手段は、前記第２の表示形態での表示処理を終了すると作動を終了する
ことを特徴とする請求項９に記載の電子機器。
【請求項１１】
前記第１の制御手段は、前記電源オン状態で作動し、
前記第２の制御手段は、前記電源オフ状態で作動し、かつ、前記第１の制御手段よりも消費電力の小さい制御手段である
ことを特徴とする請求項１乃至８のいずれか１項に記載の電子機器。
【請求項１２】
前記電池装着部に装着された前記電池の残量を測定する測定手段をさらに有し、
前記第１の制御手段および前記第２の制御手段は、前記測定手段が測定した前記電池の残量に応じて表示を制御する
ことを特徴とする請求項１乃至１１のいずれか１項に記載の電子機器。
【請求項１３】
前記表示部は、電源オフ状態であっても、画像を表示することができる
ことを特徴とする請求項１乃至１２のいずれか１項に記載の電子機器。
【請求項１４】
撮像手段を、さらに有する
ことを特徴とする請求項１乃至１３のいずれか１項に記載の電子機器。
【請求項１５】
前記撮像手段は、撮影状態、再生状態、設定状態の少なくとも３つの状態を含み、
前記第２の制御手段は、前記再生状態または前記設定状態から、前記撮影状態に遷移する場合に、所定の期間、前記第２の表示形態で前記表示部に表示するように制御する
ことを特徴とする請求項１４に記載の電子機器。
【請求項１６】
表示部と電池装着部を有する電子機器の制御方法であって、
前記電池装着部への電池の装着を検知する検知工程と、
電源オン状態である場合に、第１の表示形態で電池の残量を前記表示部に表示する第１の制御工程と、
電源オフ状態であり、前記検知工程において電池の装着が検知された場合、前記電池の残量を前記第１の表示形態よりも粒度の細かい第２の表示形態で前記表示部に表示するように制御する第２の制御工程と
を有することを特徴とする電子機器の制御方法。
【請求項１７】
表示部と電池装着部を有する電子機器の制御方法であって、
前記電池装着部への電池の装着を検知する検知工程と、
電源オン状態である場合に、第１の表示形態で電池の残量を前記表示部に表示する第１の制御工程と、
電源オフ状態であり、電源オン状態に切り替える指示がされる場合、所定の期間、前記電池の残量を前記第１の表示形態よりも粒度の細かい第２の表示形態で前記表示部に表示するように制御する第２の制御工程と
を有することを特徴とする電子機器の制御方法。
【請求項１８】
表示部と電池装着部を有する電子機器の制御方法であって、
前記電池装着部への電池の装着を検知する検知工程と、
前記電池に充電を行う充電工程と、
電源オン状態である場合に、第１の表示形態で電池の残量を前記表示部に表示する第１の制御工程と、
電源の状態に関わらず、前記充電工程において充電が中断される場合には、所定の期間、前記電池の残量を前記第１の表示形態よりも粒度の細かい第２の表示形態で前記表示部に表示するように制御する第２の制御工程と
を有することを特徴とする電子機器の制御方法。
【請求項１９】
コンピュータを、請求項１乃至１５のいずれか１項に記載された電子機器の各手段として機能させるためのプログラム。
【請求項２０】
コンピュータを、請求項１乃至１５のいずれか１項に記載された電子機器の各手段として機能させるためのプログラムを格納したコンピュータが読み取り可能な記憶媒体。
【発明の詳細な説明】
【技術分野】
【０００１】
本発明は、電子機器、および電子機器の制御方法、プログラム、記憶媒体に関するものである。
【背景技術】
【０００２】
デジタルカメラなどの電子機器における電池残量表示において、電池マークを用いて電源装置の電池残量を４段階程度の粒度の粗い複数段階のいずれであるかを示す、簡易的な電池残量表示（簡易表示）の方法が知られている（特許文献１の図６（Ａ））。また、電池残量を、パーセント（百分率）や電圧などで、電池マークよりも粒度を細かく詳細に表示（詳細表示）する方法も知られている（同じく特許文献１の図６（Ｂ））。
【０００３】
また、特許文献１では、適切な電源装置を電子機器に取り付けると通常動作モードに移行して、情報表示部では電池残量を詳細表示し、同時に情報表示部とは異なる表示部である撮影情報表示部では電池残量を簡易表示することが開示されている。
【先行技術文献】
【特許文献】
【０００４】
【特許文献１】特開２００８−１９３７８４号公報
【発明の概要】
【発明が解決しようとする課題】
【０００５】
しかし、この詳細表示をユーザの電子機器の使用中に継続して表示し続けてしまうと、電池残量が刻々と変化してしまい、例えば、一時的な電圧低下などに影響されて誤った電池残量が表示されてしまう可能性がある。従って、電子機器を使用している状態に応じて、適切な表示形態で電池の残量表示ができていないという課題があった。
【０００６】
そこで本発明は、電子機器を使用している状態に応じて、より適切な表示形態で電池の残量表示をすることができる電子機器、および電子機器の制御方法、プログラム、記憶媒体を提供することを目的とする。
【課題を解決するための手段】
【０００７】
本発明の第１の態様は、
電源オン状態と電源オフ状態とを切り替える指示を行う操作手段と、
電池装着部への電池の装着を検知する検知手段と、
前記電源オン状態である場合に、第１の表示形態で電池の残量を表示部に表示する第１の制御手段と、
前記電源オフ状態であり、前記検知手段で電池の装着を検知した場合、前記電池の残量を前記第１の表示形態よりも粒度の細かい第２の表示形態で前記表示部に表示するように制御する第２の制御手段と
を有することを特徴とする電子機器である。
【発明の効果】
【０００８】
本発明によれば、電子機器を使用している状態に応じて、より適切な表示形態で電池の残量表示をすることができる。
【図面の簡単な説明】
【０００９】
【図１】実施形態１に係るデジタルカメラの外観図。
【図２】実施形態１に係るデジタルカメラの構成図。
【図３】実施形態１に係る電池の残量表示を示す図。
【図４】実施形態１に係る電源オフ状態の電池残量の表示フロー図。
【図５】実施形態１に係る電源オフ状態の電池残量表示の詳細フロー図。
【図６】実施形態１に係る電源オン状態の電池残量の表示フロー図。
【図７】実施形態１に係る電源オン状態の電池残量表示の詳細フロー図。
【図８】実施形態１に係る電源オン状態における充電時の電池残量の表示フロー図。
【図９】変形例１に係る電池残量の表示フロー図。
【発明を実施するための形態】
【００１０】
以下、図面を参照して、本発明の例示的な実施形態について詳細に説明する。なお、本発明の技術的範囲は特許請求の範囲によって確定されるものであって、以下の個別の実施形態によって限定されるわけではない。また、実施形態の中で説明されている特徴の組み合わせ全てが、本発明に必須とは限らない。
【００１１】
＜実施形態１＞
実施形態１では、電源の状態の変化および充電の状態の変化などに応じて、電池残量の表示を簡易表示、詳細表示、もしくは非表示とするかを決定する電子機器を説明する。これによれば、電子機器は、ユーザが詳細に電池残量を確認すべき場合には詳細表示をして、それ以外の場合には、電池の電力消費量の少ない簡易的な表示または非表示とすることができる。なお、以下では、本実施形態に係る電子機器の一例としてデジタルカメラについて説明するが、それには限らず、スマートフォンやパーソナルコンピュータなど電池を用いて稼動して、電池残量を表示できる電子機器であれば任意のものでよい。なお、電池残量の表示は、その電子機器自身が行う必要はなく、外部の表示装置などを制御することで表示してもよい。
【００１２】
［デジタルカメラの外観について］
図１に本実施形態に係るデジタルカメラ１００の外観図を示す。液晶モニタ２７は画像や電池残量などの各種情報を表示する表示部である。表示パネル２９はカメラ上面に設けられた表示部で、電池残量などの各種情報を表示する表示部である。シャッターボタン６１は撮影指示を行うための指示部である。コネクタ１１２は、電源を供給するための接続ケーブル１１１とデジタルカメラ１００とのコネクタ部である。指示部７０はユーザからの各種操作を受け付ける各種スイッチ、ボタン、ダイヤル、タッチパネルなどの操作部材より構成される指示部である。電源スイッチ７４は、デジタルカメラ１００の電源オン状態と電源オフ状態を切り替えるためのレバー部である。電池８６は、デジタルカメラ１００に電源を供給する。電池スロット８７は電池８６を格納するための電池装着部（電池スロット）である。蓋８８は電池スロット８７の蓋部である。図１においては、蓋８８を開けて電池スロット８７から電池８６の一部を取り出して露出させた状態を示している。
【００１３】
［デジタルカメラの構成について］
図２は、本実施形態によるデジタルカメラ１００の構成例を示す構成図（ブロック図）である。撮影レンズ１０３は、ズームレンズ、フォーカスレンズを含むレンズ群である。シャッター１０１は絞り機能を備えるシャッターである。撮像部２２は、光学像を電気信号に変換するＣＣＤ（Ｃｈａｒｇｅ  Ｃｏｕｐｌｅｄ  Ｄｅｖｉｃｅ）やＣＭＯＳ（Ｃｏｍｐｌｅｍｅｎｔａｒｙ  ＭＯＳ）素子などで構成される撮像素子である。Ａ／Ｄ変換器２３は、アナログ信号をデジタル信号に変換する。撮像部２２は、撮影状態、撮影待機状態、再生状態、設定状態のうち、撮影状態である場合に被写体の撮像（撮影）が可能である。Ａ／Ｄ変換器２３は、撮像部２２から出力されるアナログ信号をデジタル信号に変換するために用いられる。
【００１４】
画像処理部２４は、Ａ／Ｄ変換器２３からのデータ、または、メモリ制御部１５からのデータに対し所定の画素補間、縮小といったリサイズ処理や色変換処理を行う。また、画像処理部２４では、撮像した画像データを用いて所定の演算処理が行われ、得られた演算結果に基づいてシステム制御部５０が露光制御、測距制御を行う。これにより、ＴＴＬ（スルー・ザ・レンズ）方式のＡＦ（オートフォーカス）処理、ＡＥ（自動露出）処理、ＥＦ（フラッシュプリ発光）処理が行われる。画像処理部２４ではさらに、撮像した画像データを用いて所定の演算処理を行い、得られた演算結果に基づいてＴＴＬ方式のＡＷＢ（オートホワイトバランス）処理も行っている。
【００１５】
Ａ／Ｄ変換器２３からの出力データは、画像処理部２４およびメモリ制御部１５を介して、或いは、メモリ制御部１５を介してメモリ３２に書き込まれる。メモリ３２は、撮像部２２によって得られてＡ／Ｄ変換器２３によりデジタルデータに変換された画像データや、液晶モニタ２７に表示するための画像データを格納する。メモリ３２は、所定枚数の静止画像や所定時間の動画像および音声を格納するのに十分な記憶容量を備えている。また、メモリ３２は画像表示用のメモリ（ビデオメモリ）を兼ねている。
【００１６】
Ｄ／Ａ変換器１３は、メモリ３２に格納されている画像表示用のデータをアナログ信号に変換して液晶モニタ２７に供給する。こうして、メモリ３２に書き込まれた表示用の画像データはＤ／Ａ変換器１３を介して液晶モニタ２７により表示される。
【００１７】
液晶モニタ２７は、ＬＣＤ（Ｌｉｑｕｉｄ  ｃｒｙｓｔａｌ  ｄｉｓｐｌａｙ）などの表示器上に、Ｄ／Ａ変換器１３からのアナログ信号に応じた表示を行う。Ａ／Ｄ変換器２３によってＡ／Ｄ変換されメモリ３２に蓄積されたデジタル信号をＤ／Ａ変換器１３がアナログ変換し、液晶モニタ２７に逐次転送して表示することで、図３（Ｊ）が示すようなスルー画像表示（ライブビュー表示）を行える。
【００１８】
不揮発性メモリ５６は、電気的に消去・記録可能な記録媒体（記憶媒体）としてのメモリであり、例えばＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ）などが用いられる。不揮発性メモリ５６には、システム制御部５０やサブシステム制御部９０の動作用の定数、プログラムなどが記憶される。ここでいう、プログラムとは、後述する各種フローチャートが示す処理を実行するためのコンピュータプログラムのことである。
【００１９】
システム制御部５０は、デジタルカメラ１００全体を制御する。上述した不揮発性メモリ５６に記録されたプログラムを実行することで、後述する各処理を実現する。システムメモリ５２には、ＲＡＭが用いられる。システムメモリ５２には、システム制御部５０やサブシステム制御部９０の動作用の、定数や変数や不揮発性メモリ５６から読み出したプログラムなどを展開する。システムタイマー５３は、システム制御部５０やサブシステム制御部９０が各種制御に用いる時間や、内蔵された時計の時間を計測する計時部である。また、システム制御部５０はメモリ３２、Ｄ／Ａ変換器１３、液晶モニタ２７などを制御することにより表示制御も行う。なお、本実施形態では、システム制御部５０は、デジタルカメラ１００が電源オフ状態であればサブシステム制御部９０（他の機能部）の制御がない限り動作しないものとして説明するが、電源オフ状態であっても動作するものであってもよい。
【００２０】
シャッターボタン６１、指示部７０、電源スイッチ７４はシステム制御部５０に各種の動作指示を入力するための操作手段である。なお、シャッターボタン６１は、第１シャッタースイッチ６２と第２シャッタースイッチ６４を有する。
【００２１】
第１シャッタースイッチ６２は、デジタルカメラ１００に設けられたシャッターボタン
６１の操作途中、いわゆる半押し（撮影準備指示）されることにより、第１シャッタースイッチ信号ＳＷ１を発生する。第１シャッタースイッチ信号ＳＷ１により、デジタルカメラ１００は、ＡＦ（オートフォーカス）処理、ＡＥ（自動露出）処理、ＡＷＢ（オートホワイトバランス）処理、ＥＦ（フラッシュプリ発光）処理などの動作を開始する。
【００２２】
第２シャッタースイッチ６４は、シャッターボタン６１の操作完了、いわゆる全押し（撮影指示）されることにより、第２シャッタースイッチ信号ＳＷ２を発生する。システム制御部５０は、第２シャッタースイッチ信号ＳＷ２により、撮像部２２からの信号読み出しから記録媒体２００に画像データを書き込むまでの一連の撮影処理の動作を開始する。
【００２３】
指示部７０の各操作部材は、液晶モニタ２７や表示パネル２９などに表示される種々の機能アイコンを選択操作することなどにより、場面ごとに適宜機能が割り当てられ、各種機能ボタンとして作用する。機能ボタンとしては、例えば終了ボタン、戻るボタン、画像送りボタン、ジャンプボタン、絞込みボタン、属性変更ボタンなどがある。例えば、メニューボタンが押されると各種の設定可能なメニュー画面が液晶モニタ２７などに表示される。ユーザは、液晶モニタ２７などに表示されたメニュー画面と、上下左右の４方向ボタンやＳＥＴボタンとを用いて直感的に各種設定を行うことができる。
【００２４】
電源スイッチ７４は、デジタルカメラ１００の作動開始と終了をユーザが指示するスイッチである。つまり、電源スイッチ７４は、デジタルカメラ１００を電源オン状態と電源オフ状態とを切り替える指示を行うことができる。電源スイッチ７４はデジタルカメラの電源を操作することができるため、本実施形態における操作手段といえる。
【００２５】
サブシステム制御部９０は、表示パネル２９の表示制御や電源制御など、デジタルカメラ１００の一部を制御する少なくとも１つのプロセッサである。サブシステム制御部９０は、システム制御部５０が動作していない場合でも表示パネル２９の表示制御や電源制御の処理が可能であり、少ない電力で動作できる。サブシステム制御部９０は、システム制御部５０よりもクロック周波数が小さく、消費電力がシステム制御部５０に比べて十分小さい。本実施形態では、電源スイッチ７４がオンからオフに切り替えられると、システム制御部５０が作動するデジタルカメラ１００の電源オン状態から、システム制御部５０が停止し、サブシステム制御部９０が作動する電源オフ状態（低消費電力状態）に切り替わる。
【００２６】
表示パネル２９は、ＬＣＤなどの表示器上に、サブシステム制御部９０からの指示により、例えば、図３（Ｈ）のようなデジタルカメラ１００の状態を表示する。本実施形態の電源オフ中の電池残量表示は、電源スイッチ７４がオフの状態のとき、システム制御部５０が動作することなく、サブシステム制御部９０が表示パネル２９の表示制御と電源制御をおこなうことにより実現している。表示パネル２９は、ドットマトリックス液晶であり、ドット表現で様々な形状を表示することができる。また、表示パネル２９は、液晶モニタ２７よりも解像度（画素数、ドット数）が少なく、また、３色以上のカラー表示の行えない、白黒２値での表示を行うディスプレイである。従って、表示パネル２９は、液晶モニタ２７に比べて高精細な表示は行えない。
【００２７】
なお、表示パネル２９の表示制御をシステム制御部５０が行うように表示パネル２９とシステム制御部５０を接続してもよい。この場合、サブシステム制御部９０の作動中に表示パネル２９の表示更新を行うべきイベントが発生したことをサブシステム制御部９０が検知すると、サブシステム制御部９０が一時的にシステム制御部５０の作動（起動）コマンドを発行する。システム制御部５０は作動コマンド（制御）をうけて一時的に作動をし、イベントに応じて表示パネル２９の表示を更新した後、再び作動を停止してオフ状態となる。その後、サブシステム制御部９０は、表示パネル２９の表示状態を維持するように
制御する。すなわち、表示パネル２９はシステム制御部５０が作動していないオフ状態でも表示状態を維持できる（画像を表示できる）不揮発性のディスプレイである。ただし、表示パネル２９は、サブシステム制御部９０の作動が停止すると表示が消えてしまうものであってもよいし、サブシステム制御部９０の作動が停止しても表示が消えないものであってもよい。
【００２８】
電源制御部８０は、電池検出回路、ＤＣ−ＤＣコンバータ、通電するブロックを切り替えるスイッチ回路などにより構成され、電池スロット８７への電池８６の装着の有無、電池８６の種類、電池残量の検出、電池８６の充電を行う。また、電源制御部８０は、その検出結果およびシステム制御部５０の指示に基づいてＤＣ−ＤＣコンバータを制御し、必要な電圧を必要な期間、記録媒体２００を含む各機能部へ供給する。なお、電源制御部８０は、電池スロット８７（電池装着部）への電池８６の脱着（装着）を検知する検知部８１と、電池８６の残容量を測定する測定部８２と、後述の接続ケーブル１１１から得た電力を用いて電池８６を充電する充電部８３を有する。
【００２９】
電池８６は、アルカリ電池やリチウム電池などの一次電池やＮｉＣｄ（Ｎｉｃｋｅｌ−Ｃａｄｍｉｕｍ）電池やＮｉＭＨ（Ｎｉｃｋｅｌ  Ｍｅｔａｌ−Ｈｙｄｒｉｄｅ）電池、リチウム電池などの二次電池、ＡＣアダプターなどから構成される。なお、本実施形態における電池８６は、充放電可能なものであるとする。
【００３０】
接続ケーブルＩ／Ｆ９５は、接続ケーブル１１１とのインターフェースである。接続ケーブル１１１は、デジタルカメラ１００をパソコンやプリンタや充電器と接続するケーブルである。この接続ケーブル１１１を用いた接続により、パソコンからデジタルカメラ１００内の記録媒体２００にアクセスして画像を閲覧することや、プリンタと接続して、デジタルカメラ１００の操作でデジタルカメラ１００内の画像をプリンタに出力することができる。また、接続ケーブル１１１がパソコンや充電器と接続することにより、パソコンなどから電力が提供され充電部８３を介して電池８６を充電することが可能である。
【００３１】
記録媒体Ｉ／Ｆ１８は、メモリカードやハードディスクなどの記録媒体２００とのインターフェースである。記録媒体２００は、撮影された画像を記録するためのメモリカードなどの記録媒体（記憶媒体）であり、半導体メモリや光ディスク、磁気ディスクなどから構成される。
【００３２】
［電池残量表示について］
次に、図３を参照して、本実施形態の電池残量の表示について説明する。図３（Ａ）〜図３（Ｅ）は電池８６の状態を示すマークの例であり、表示パネル２９と液晶モニタ２７に表示される。図３（Ｆ）〜図３（Ｉ）は、電源スイッチ７４の状態に応じて、表示パネル２９に表示される画像の表示例を示している。図３（Ｊ）は、電源スイッチ７４がオン状態である場合に、液晶モニタ２７に表示される画像の表示例を示している。以下にて、図３（Ａ）〜図３（Ｊ）の表示例について詳細に説明する。
【００３３】
（電池残量表示のマークについて）
図３（Ａ）〜図３（Ｃ）は、電池８６の電池残量の表示例である。本実施形態において、図３（Ａ）〜図３（Ｃ）は、電池８６の充電が行われていない場合に表示される画像である。図３（Ａ）は、粒度の粗い電池残量の表示例（簡易表示の例）であり、電池マークの模様を用いて、電池残量が４段階のうちいずれであるかを示している。本実施形態では、電池マークを用いた粒度の粗い表示形態は、図３（Ａ）のように４段階に限るものではないが、パーセント（百分率）よりは十分小さい複数段階で、１０段階以下であるものとする。このように、少ない段階で表示することにより、使用中の消費電力の変動による一時的な電圧低下などに影響されて生じる、不正確な残量表示や急激な残量表示の変化を抑
制することができる。なお、上述の粒度の粗い電池残量の表示は、第１の制御手段により表示される一例といえる。また、本実施形態では、第１の制御手段は、システム制御部５０とサブシステム制御部９０とのどちらかあってもよいし、両方であってもよい。
【００３４】
図３（Ｂ）は、詳細な電池残量表示例（詳細表示の例）である。図３（Ａ）が示す電池残量の表示よりも細かい粒度で電池残量を表示しており、本実施形態では、パーセント（百分率）で電池残量を表示している。すなわち、電池残量が１００段階のうちいずれであるかを示している。なお、詳細な電池残量表示は１００段階である必要はなく、例えば、粒度の粗い電池残量表示の段階数の所定倍である段階数など、粒度の粗い電池残量表示の段階数より十分に大きければよい。従って、粒度の細かい電池残量表示は、粒度の粗い電池残量表示よりも情報量の多い表示であるといえる。また、粒度の粗い電池残量表示は、粒度の細かい電池残量表示よりも使用中の消費電力の変動による一時的な電圧低下などの影響が少ない表示であるといえる。なお、上述の粒度の細かい電池残量の表示は、第２の制御手段により表示される一例といえる。また、本実施形態では、第２の制御手段は、システム制御部５０とサブシステム制御部９０とのどちらかあってもよいし、両方であってもよい。また、上述の粒度の粗い電池残量の表示と上述の粒度の細かい電池残量の表示とは同一の手段（制御部）によってされてもよいし、異なる手段によってされてもよい。
【００３５】
図３（Ｃ）は、通信不能などの理由により、電池８６から電池残量を得ることができない場合の表示例であり、電池マークの中に何も描かれていない。なお、電池残量を得ることができない場合の表示は電池マークの中に「？」などが描かれていてもよい。
【００３６】
図３（Ｄ）、図３（Ｅ）は、電池８６の充電状態を表す表示例である。つまり、電池８６の充電が行われている場合は、図３（Ａ）〜図３（Ｃ）よりも優先して図３（Ｄ）または図３（Ｅ）が表示される。
【００３７】
図３（Ｄ）は、デジタルカメラ１００に接続ケーブル１１１が接続されている状態で、接続ケーブル１１１からの電源供給により、充電部８３を介して電池８６に充電している場合の表示例である。なお、ここでの表示は、電池８６が充電されていることを示すための表示であれば、例えば「Ｃｈａｒｇｅ」という文字の表示など任意のものでよいが、本実施形態では、稲妻マークが電池マーク内に描かれている。
【００３８】
図３（Ｅ）は、デジタルカメラ１００に接続ケーブル１１１が接続されている状態で、電池８６に対して現状以上の充電ができない場合（フル充電の場合）の表示例である。なお、ここでの表示は、フル充電であることを示すための表示であれば任意のものでよいが、本実施形態では、「ＦＵＬＬ」という文字が電池マーク内に描かれている。
【００３９】
（電源オフ状態における電池残量表示について）
図３（Ｆ）、図３（Ｇ）は、電源スイッチ７４がオフの状態で表示パネル２９に表示される画像の一例である。なお、電源スイッチ７４がオフの状態であれば、液晶モニタ２７は何も表示を行わない。また、電源スイッチ７４がオフの状態では、表示パネル２９における、電池８６の状態を示す表示項目３０１は、デジタルカメラ１００の状態に応じて、図３（Ａ）〜図３（Ｅ）のいずれかが表示される。
【００４０】
図３（Ｆ）は、電源オフ状態における、表示パネル２９での通常時（電池装着直後では無い状態）の表示例である。電池残量を表示するには電池８６の状態を常に監視する必要があるが、サブシステム制御部９０で電池８６を監視し続けると電力を消費するため、通常時は電池残量を表示しない。これによって消費電力を抑えることができる。
【００４１】
図３（Ｇ）は、電池装着直後など一時的に電池残量を表示する場合の表示例である。図
３（Ｂ）を用いて説明したパーセントで示す詳細表示形態での電池残量表示である。
【００４２】
（電源オン状態における電池残量表示について）
図３（Ｈ）〜図３（Ｊ）は、電源スイッチ７４がオンの状態で表示パネル２９または液晶モニタ２７に表示される画像の一例である。また、電源スイッチ７４がオンの状態では、表示パネル２９または液晶モニタ２７における、電池８６の状態を示す表示項目３０１は、デジタルカメラ１００の状態に応じて、図３（Ａ）〜図３（Ｅ）のいずれかが表示される。
【００４３】
図３（Ｈ）、図３（Ｉ）は、電源スイッチ７４がオンの状態で表示パネル２９に表示する画像の一例である。表示項目３０１が示す電池残量は、図３（Ａ）を用いて説明した粒度の粗い表示形態での表示である。具体的には、図３（Ｈ）は、撮影状態および撮影待機状態の表示例であり、電池残量表示に加えて、シャッター速度やＩＳＯ感度など、撮影に必要である各種カメラ設定が確認できるようにされている。図３（Ｉ）は、再生および設定状態の表示例であり、撮影に必要である各種カメラ設定は表示されない。
【００４４】
図３（Ｊ）は、電源スイッチ７４がオンの状態での、撮影状態および撮影待機状態における液晶モニタ２７に表示される画像の一例である。図３（Ｊ）では、撮影対象の画像とともに表示項目３０１が示す電池残量が表示される。なお、電池残量の表示は、図３（Ａ）で説明した粒度の粗い表示形態である。
【００４５】
［電源オフ状態における電池残量表示のフロー］
次に、図４、図５のフローチャートを用いて、電源スイッチ７４がオフ状態での電池残量表示の制御方法について説明する。まず、図４のフローチャートで、電源スイッチ７４がオフ状態における電池残量表示の主な処理を説明する。この処理は、サブシステム制御部９０が、不揮発性メモリ５６に記録されたプログラムをシステムメモリ５２に展開して実行することで実現する。図４のフローチャートの開始状態は、電源スイッチ７４がオフの状態である。なお、本実施形態では、電源スイッチ７４がオフであれば、以下に特別な記載がない限り、表示パネル２９および液晶モニタ２７において、いかなる電池残量表示もされていないもの（非表示）とする。
【００４６】
Ｓ４０１において、サブシステム制御部９０は、電源スイッチ７４が操作されて電源オン状態にする指示がされている否かを判定する。工程は、電源オンにする指示がされている場合は処理を終了し、電源オンにする指示がされていない場合はＳ４０２へ遷移する。
【００４７】
Ｓ４０２において、サブシステム制御部９０は、検知部８１を制御して、新たに電池８６が電池スロット８７に装着されたか否かを判定（検知）する。工程は、新たに電池８６が装着された場合はＳ４０３へ遷移し、新たに電池８６が装着されていない場合はＳ４０５へ遷移する。
Ｓ４０３において、サブシステム制御部９０は、指示部７０や電源スイッチ７４の状態の判定など、電池装着時の処理を行う。
Ｓ４０４において、サブシステム制御部９０は、電池残量を一時的に表示し、Ｓ４０１へ遷移する。Ｓ４０４については、図５を用いて後述にて詳細に説明する。
【００４８】
Ｓ４０５において、サブシステム制御部９０は、電池８６を充電するための接続ケーブル１１１が接続ケーブルＩ／Ｆ９５に新たに装着されたか否かを判定する。工程は、接続ケーブル１１１が新たに装着された場合はＳ４０６へ遷移し、新たな装着を検知しない場合はＳ４０９へ遷移する。
Ｓ４０６において、サブシステム制御部９０は、電池８６や接続ケーブル１１１の状態を基に充電を開始するか否かを判定し、充電を開始する場合はＳ４０７へ遷移し、充電を
開始しない場合はＳ４０１へ遷移する。例えば、サブシステム制御部９０は、接続ケーブル１１１からの提供電力の電圧が所定値以下である場合は充電を開始しないと判定する。
Ｓ４０７において、サブシステム制御部９０は、充電部８３に電池８６への充電開始を指示する。
Ｓ４０８において、サブシステム制御部９０は、表示パネル２９に充電中であることを図３（Ｄ）が示すように表示し、Ｓ４０１へ遷移する。
【００４９】
Ｓ４０９において、サブシステム制御部９０は、充電部８３が電池８６へ充電中であるか否かを判定し、充電中である場合はＳ４１０へ遷移し、充電中でない場合はＳ４０１へ遷移する。
Ｓ４１０において、サブシステム制御部９０は、電池８６の充電状態がフル充電であるか否かを判定し、フル充電である場合はＳ４１１へ遷移し、フル充電でない場合はＳ４１３へ遷移する。
Ｓ４１１において、サブシステム制御部９０は、充電部８３に電池８６への充電の停止を指示する。
Ｓ４１２において、サブシステム制御部９０は、表示パネル２９に充電状態がフル充電であることを図３（Ｅ）が示すように表示し、Ｓ４０１へ遷移する。
【００５０】
Ｓ４１３において、サブシステム制御部９０は、電池８６に充電するための接続ケーブル１１１が接続ケーブルＩ／Ｆ９５から抜かれたか否かを判定し、接続ケーブル１１１が抜かれた場合はＳ４１４へ遷移し、抜かれていない場合はＳ４０１へ遷移する。なお、接続ケーブル１１１が抜かれたか否かではなく、接続ケーブル１１１からの供給される電力の電圧が所定値以下であったらＳ４１１に遷移し、所定値よりも大きければＳ４０１に遷移するでもよい。
Ｓ４１４において、サブシステム制御部９０は、充電部８３に電池８６への充電の停止（中断）を指示する。
Ｓ４１５において、サブシステム制御部９０は、電池残量を一時的に表示し、Ｓ４０１へ遷移する。つまり、サブシステム制御部９０が制御する充電部８３が電池８６に対する充電を中断（中止）した場合に、電池残量の一時的表示がされる。Ｓ４１５については、図５を用いて後述にて詳細に説明する。
【００５１】
（電池残量表示の詳細フロー）
次に図５のフローチャートを用いて、上述のＳ４０４とＳ４１５、後述のＳ６１８に該当する電源オフ状態の電池残量の表示処理の詳細を説明する。ここでは、表示パネル２９に図３（Ａ）〜図３（Ｃ）が示す電池マークを表示する処理を行う。この処理は、サブシステム制御部９０が、不揮発性メモリ５６に記録されたプログラムをシステムメモリ５２に展開して実行することで実現する。
【００５２】
Ｓ５０１において、サブシステム制御部９０は、測定部８２を制御して電池８６の残量を測定（取得）する。
Ｓ５０２において、サブシステム制御部９０は、Ｓ５０１で電池残量の値を取得したか否か判定し、取得した場合はＳ５０４へ遷移し、取得していない場合はＳ５０３へ遷移する。
Ｓ５０３において、サブシステム制御部９０は、表示パネル２９に、図３（Ｃ）が示すような通信不能な電池であることを示す表示（電池残量が取得できないことを示す表示）をして、Ｓ５０７へ遷移する。
【００５３】
Ｓ５０４において、サブシステム制御部９０は、Ｓ５０１で測定された電池残量の粒度を判定して、所定の粒度以上に細かい粒度で取得した場合はＳ５０６へ遷移し、所定の粒度よりも粗い粒度で取得した場合はＳ５０５へ遷移する。本実施形態では、例えば、電池
８６の残量を１００段階の粒度以上の細かさで取得した否かで判定する。なお、本実施形態では、Ｓ５０４は例外処理であるため、例えば、何らかの事情で取得すべき電池８６の残量にノイズが入るなどの異常事態が発生しない限り、Ｓ５０６に遷移するものとする。
Ｓ５０５において、サブシステム制御部９０は、表示パネル２９に、図３（Ａ）が示すような粒度の粗い電池残量を表示し、Ｓ５０７へ遷移する。
【００５４】
Ｓ５０６において、サブシステム制御部９０は、表示パネル２９に、図３（Ｂ）が示すような詳細な電池残量を表示し、Ｓ５０７へ遷移する。
Ｓ５０７において、サブシステム制御部９０は、Ｓ５０３，Ｓ５０５，Ｓ５０６において表示パネル２９に電池残量を表示してから所定の期間（時間）が経過したか判定する。そして、工程は、所定の期間経過している場合はＳ５０８へ遷移し、経過していない場合はＳ５０７において所定の期間経過するまで待機して、その後Ｓ５０８へ遷移する。
Ｓ５０８において、サブシステム制御部９０は、Ｓ５０３，Ｓ５０５，Ｓ５０６において表示パネル２９に表示した電池残量を非表示にして、処理を終了する。つまり、表示パネル２９には、所定の期間において電池残量が表示される。
【００５５】
なお、図５のフローチャートが示す処理は、サブシステム制御部９０が実行するものとして説明したが、システム制御部５０が実行するものとしてもよい。すなわち、Ｓ４０４で、サブシステム制御部９０が、新たな電池装着があった旨のイベント通知とともにシステム制御部５０を起動（作動）するように制御して、システム制御部５０が当該処理を実行するものとしてもよい。この場合、図５のフローチャートが示す処理が終了すると、システム制御部５０は自動的に作動停止し、サブシステム制御部９０を作動させる。
【００５６】
［電源オン状態における電池残量表示のフロー］
次に図６〜図８のフローチャートを用いて、電源スイッチ７４がオン状態での電池残量表示の制御方法について説明する。なお、本実施形態では、デジタルカメラ１００の電源オン状態は、動画や静止画を撮影をするための撮影状態や、撮影した画像データを再生するための再生状態、デジタルカメラ１００本体などの設定をするための設定状態などを含む。まず、図６のフローチャートで、電源スイッチ７４がオンされてからオフになるまでの間の電池残量表示の制御方法について説明する。電源スイッチ７４がオフからオンに変更されると、図６が示すフローチャートが開始される。なお、この処理は、システム制御部５０が、不揮発性メモリ５６に記録されたプログラムをシステムメモリ５２に展開して実行することで実現する。なお、電源スイッチ７４がオンであれば、以下に特別な記載がない限り、表示パネル２９および液晶モニタ２７において、粒度の粗い電池残量表示（簡易表示）がされているものとする。なお、電源スイッチ７４がオンの状態において、表示パネル２９および液晶モニタ２７の両方に電池残量が表示される必要はなく、表示パネル２９のみに電池残量表示がされる、もしくは、液晶モニタ２７のみに電池残量表示がされてもよい。
【００５７】
Ｓ６０１において、システム制御部５０は、デジタルカメラ１００の起動処理を行う。
Ｓ６０２において、システム制御部５０は、撮影状態に遷移するリクエストがされたか否かを判定し、撮影状態に遷移するリクエストがあったならＳ６０３に遷移し、当該リクエストがない場合はＳ６０６に遷移する。なお、撮影状態に遷移するリクエスト、再生状態に遷移するリクエスト、設定状態に遷移するリクエストは指示部７０やシャッターボタン６１から入力されるものとする。
【００５８】
Ｓ６０３において、システム制御部５０は、デジタルカメラ１００の状態を撮影待機状態（撮影モード）に変更する。
Ｓ６０４において、システム制御部５０は、表示パネル２９の表示を図３（Ｈ）が示すような撮影用の表示に変更するようにサブシステム制御部９０に指示する。つまり、表示
パネル２９に、シャッター速度やＩＳＯ感度などの撮影に必要である各種カメラ設定が表示される。
Ｓ６０５において、システム制御部５０は、電池残量を一時的に詳細表示するようにサブシステム制御部９０に指示し、Ｓ６０２に遷移する。なお、本実施形態では、デジタルカメラ１００が撮影待機状態である状態において、電池残量の詳細表示がされるが、撮影待機状態からさらに撮影状態に遷移した後に、電池残量の詳細表示がされてもよい。つまり、これは、デジタルカメラ１００が再生状態または設定状態などから撮影待機状態または撮影状態に遷移すると、一時的に電池残量の詳細表示がされるということである。なお、撮影状態は、動画や静止画を撮影をするための動作をしている状態であればよいため、撮影待機状態を含む状態であるとしてもよい。Ｓ６０５については、図７を用いて後述にて詳細に説明する。
【００５９】
Ｓ６０６において、システム制御部５０は、再生状態に遷移するリクエストがされたか否かを判定し、再生状態に遷移するリクエストがあったならＳ６０７に遷移し、当該リクエストがない場合はＳ６０９に遷移する。
Ｓ６０７において、システム制御部５０は、デジタルカメラ１００の状態を再生状態（再生モード）に変更する。
Ｓ６０８において、システム制御部５０は、表示パネル２９の表示を、図３（Ｉ）が示すような再生および設定状態の表示に変更するようにサブシステム制御部９０に指示し、Ｓ６０２に遷移する。
【００６０】
Ｓ６０９において、システム制御部５０は、設定状態に遷移するリクエストがされたか否かを判定し、設定状態に遷移するリクエストがあったならＳ６１０に遷移し、当該リクエストがない場合はＳ６１２に遷移する。
Ｓ６１０において、システム制御部５０は、デジタルカメラ１００の状態を設定状態（設定モード）に変更する。
Ｓ６１１において、システム制御部５０は、表示パネル２９の表示を図３（Ｉ）が示すような再生および設定状態の表示に変更するようにサブシステム制御部９０に指示し、Ｓ６０２に遷移する。
【００６１】
Ｓ６１２において、システム制御部５０は、オートパワーオフ（スリープ状態）の解除（復帰）か否かを判定し、オートパワーオフの解除ならＳ６１３へ遷移し、オートパワーオフの解除でない場合はＳ６１５へ遷移する。ここで、オートパワーオフとは、指示部７０などからの操作を一定時間検出していないデジタルカメラ１００の作動を一時的に停止することを示す。つまり、電源スイッチ７４がオンの状態にも関わらず、表示パネル２９や液晶モニタ２７が何も表示しない状態がオートパワーオフの状態であるといえる。
Ｓ６１３において、システム制御部５０は、オートパワーオフの解除処理を行う。
Ｓ６１４において、システム制御部５０は電池残量を一時的に詳細表示するようにサブシステム制御部９０に指示し、Ｓ６０２に遷移する。Ｓ６１４については図７を用いて後述にて詳細に説明する。
【００６２】
Ｓ６１５において、システム制御部５０は、電源スイッチ７４をオフにする指示がされたか否かを判定し、オフにする指示がされた場合はＳ６１７に遷移し、オフにする指示がされていない場合はＳ６１６に遷移する。
Ｓ６１６において、システム制御部５０は、指示部７０やシャッターボタン６１からのユーザ操作や、デジタルカメラ１００の状態に応じた処理を行い、Ｓ６０２に遷移する。
【００６３】
Ｓ６１７において、システム制御部５０は、電源オフ用の表示に、表示パネル２９の表示を変更するようにサブシステム制御部９０に指示する。つまり、表示パネル２９に、図３（Ｈ）の示すように、シャッター速度やＩＳＯ感度などの撮影に必要である各種カメラ
設定が表示されていれば、それらを非表示にする制御がされる。
Ｓ６１８において、システム制御部５０は、表示パネル２９に表示する電池の残量表示を詳細表示に変更する、電源オフ中の電池残量の表示処理を行うようにサブシステム制御部９０に指示する。この処理は、上述の図５を用いて説明した処理と同様である。このように、一連の撮影作業または再生作業が完了し、電源をオフとしたタイミングで、詳細に電池残量を表示する。これによって、次回、デジタルカメラ１００を使用するまでに電池を充電あるいは交換しておいた方がよいか否かをユーザーが正確に判断することができる。
Ｓ６１９において、システム制御部５０は、終了処理を行い、電源オフ状態へと移行する。つまり、表示パネル２９および液晶モニタ２７には、電池残量表示がされない状態に移行する。なお、電源オフ状態へと移行すると、サブシステム制御部９０によって上述の図４が示す処理が行われる。
【００６４】
（電池残量表示の詳細フロー）
次に図７のフローチャートを用いて、上述のＳ６０５とＳ６１４に該当する処理である、起動中に表示する電池残量の詳細表示の詳細を説明する。ここでは液晶モニタ２７と表示パネル２９に図３（Ｂ）が示すような詳細な電池残量を表示する処理を行う。この処理は、サブシステム制御部９０が、不揮発性メモリ５６に記録されたプログラムをシステムメモリ５２に展開して実行することで実現する。なお、図７のフローチャートが示す処理は、システム制御部５０の指示に基づいてサブシステム制御部９０が行うものとするが、システム制御部５０が当該処理を行ってもよい。
【００６５】
Ｓ７０１において、サブシステム制御部９０は、測定部８２が測定した電池８６の残量を取得する。
Ｓ７０２において、サブシステム制御部９０は、電池８６の残量を所定の粒度以上に細かい粒度で取得したか否かを判定し、細かい粒度で取得した場合はＳ７０３へ遷移し、細かい粒度で取得していない場合は処理を終了する。本実施形態では、１００段階以上の粒度で電池残量が取得したか否かで判定される。なお、本実施形態では、Ｓ７０２は例外処理であるため、例えば、何らかの事情で取得すべき電池８６の残量にノイズが入るなどの異常事態が発生しない限り、Ｓ７０３に遷移するものとする。
【００６６】
Ｓ７０３において、サブシステム制御部９０は、表示パネル２９に電池残量表示があるか否かを判定し、電池残量表示がある場合はＳ７０４へ遷移し、電池残量表示がない場合はＳ７０５へ遷移する。ここで、表示パネル２９に電池残量表示があるか否かが判定されるのは、例えば、ユーザが表示パネル２９には電池残量表示をしない設定をしている場合に、表示パネル２９には電池残量表示をさせないためである。なお、後述のＳ７０５，Ｓ７０８，Ｓ７１０も同様の理由で判定が行われている。従って、サブシステム制御部９０は、表示パネル２９に電池残量表示があるか否かではなく、システムメモリ５２に一時的に保存されている設定を参照して、表示パネル２９に電池残量表示を行う設定があるか否かで判定してもよい。
Ｓ７０４において、サブシステム制御部９０は、表示パネル２９に詳細な電池残量を表示し、Ｓ７０５へ遷移する。
【００６７】
Ｓ７０５において、サブシステム制御部９０は、システム制御部５０へ液晶モニタ２７に電池残量表示があるか判定する指示を行い、電池残量表示がある場合はＳ７０６へ遷移し、電池残量表示がない場合はＳ７０７へ遷移する。
Ｓ７０６において、サブシステム制御部９０は、システム制御部５０へ、液晶モニタ２７に詳細な電池残量を表示する指示を行い、Ｓ７０７へ遷移する。
【００６８】
Ｓ７０７において、サブシステム制御部９０は、Ｓ７０４、Ｓ７０６で液晶モニタ２７
および表示パネル２９に詳細な電池残量を表示してから所定の期間（時間）が経過したか否かを判定する。そして、工程は、所定の期間経過している場合にＳ７０８へ遷移し、経過していない場合にはＳ７０７において所定の期間経過するまで待機して、その後Ｓ７０８へ遷移する。なお、Ｓ７０３〜Ｓ７０４と、Ｓ７０５〜Ｓ７０６とは並列に実施されてもよく、２つのうち遅く終わったほうから所定時間経過すると、Ｓ７０７からＳ７０８に遷移すればよい。
【００６９】
Ｓ７０８において、サブシステム制御部９０は、表示パネル２９に電池残量表示があるか否かを判定し、電池残量表示がある場合はＳ７０９へ遷移し、電池残量表示がない場合はＳ７１０へ遷移する。
Ｓ７０９において、サブシステム制御部９０は、表示パネル２９に図３（Ａ）が示すような粒度の粗い電池残量を表示し、Ｓ７１０へ遷移する。
【００７０】
Ｓ７１０において、サブシステム制御部９０は、システム制御部５０へ液晶モニタ２７に電池残量表示があるか否かの判定の指示をして、電池残量表示がある場合はＳ７１１へ遷移し、電池残量表示がない場合は処理を終了する。
Ｓ７１１において、サブシステム制御部９０は、システム制御部５０へ、液晶モニタ２７に粒度の粗い電池残量を表示する指示を行い、処理を終了する。なお、Ｓ７０８〜Ｓ７０９と、Ｓ７１０〜Ｓ７１１とは並列に実施されてもよい。
【００７１】
このように、撮影待機状態（または撮影状態）に遷移した直後（Ｓ６０５）、オートパワーオフの解除直後（Ｓ６１４）には、図７が示す電池残量の詳細表示処理をサブシステム制御部９０が行い、所定の期間、電池残量を詳細に表示する。このようにすることで、撮影待機状態に遷移した直後であれば、ユーザーはこれから行う撮影作業に対して電池残量が十分であるか、あるいは充電または電池交換した方がよいかを正確に判断できる。従って、撮影作業の途中で意図せず電池容量不足になり撮影不能となって撮影機会を逃してしまう可能性を低減できる。また、オートパワーオフの解除直後であれば、ユーザーはオートパワーオフまでの無操作の期間に電池残量を消費しまった結果、どれほどの電池残量が残っているかを正確に把握することができる。ここで、オートパワーオフまでの無操作の期間は、ユーザーがデジタルカメラ１００に注意を払っていなかった期間ともいえる。従って、これから行う作業に対して充電または電池交換した方がよいかを正確に判断できる。なお、電源オフ状態から電源オン状態にされた直後（Ｓ６０１）にも、ユーザがこれから行う作業に対して充電または電池交換した方がよいかを正確に判断するために、電池８６の電池残量の詳細表示が所定の期間行われてもよい。なお、所定の期間は、例えば、１分や２分などの一定時間であってもよいし、ユーザがデジタルカメラ１００の指示部７０などを操作するまでの期間でもよいし、そのどちらか早い方または遅い方までの期間でもよい。さらに、所定の期間は、例えば、視線を検知するセンサをデジタルカメラ１００（電子機器）が有する場合は、ユーザの視線が表示パネル２９に向くまでの期間、または向いてからさらに一定時間が経過するまでの期間でもよい。このような所定の期間によって、ユーザが詳細な電池残量表示を確認する期間が確保された上で、不要な電力消費を抑えることなどができる。
【００７２】
（充電時の電池残量表示のフロー）
図８のフローチャートで、電源スイッチ７４がオン状態での充電処理を伴う電池残量表示の制御方法について説明する。この図８のフローチャートが示す処理は、図６のフローチャートが示す処理と並行して実施される。つまり、電源スイッチ７４がオン状態においては、図６が示すような、指示部７０からの各種リクエストに応じた電池残量表示が決定されて、さらに図８が示すような、接続ケーブル１１１の装着や充電部８３の充電の実施に応じた電池残量表示が決定される。なお、図８のフローチャートが示す処理は、絶えず、サブシステム制御部９０が繰り返し実施しているものとする。なお、接続ケーブル１１
１の抜き差しや電池８６の充電状態の変化など、図８が示すフローチャートにおける判定結果が変化するようなタイミングでフローチャートが示す処理が開始されてもよい。また、この処理は、サブシステム制御部９０が、不揮発性メモリ５６に記録されたプログラムをシステムメモリ５２に展開して実行することで実現する。
【００７３】
Ｓ８０１において、サブシステム制御部９０は、電池８６に充電するための接続ケーブル１１１が新たに接続ケーブルＩ／Ｆ９５に装着されたか否かを判定し、新たに装着された場合はＳ８０２へ遷移し、新たに装着されていない場合はＳ８０５へ遷移する。
【００７４】
Ｓ８０２において、サブシステム制御部９０は、電池８６や接続ケーブル１１１の状態を基に充電を開始するか判定し、充電を開始する場合はＳ８０３へ遷移し、充電を開始しない場合は処理を終了する。
Ｓ８０３において、サブシステム制御部９０は、充電部８３に電池８６への充電開始を指示する。
Ｓ８０４において、サブシステム制御部９０は、表示パネル２９に充電中であることを示す図３（Ｄ）のような表示をするとともに、システム制御部５０へ液晶モニタ２７に図３（Ｄ）が示すような表示をする指示を行い、処理を終了する。
【００７５】
Ｓ８０５において、サブシステム制御部９０は、充電中であるかを判定し、充電中である場合はＳ８０６へ遷移し、充電中でない場合は処理を終了する。
【００７６】
Ｓ８０６において、サブシステム制御部９０は、電池８６の充電状態がフル充電であるかを判定し、フル充電である場合はＳ８０７へ遷移し、フル充電でない場合はＳ８０９へ遷移する。
Ｓ８０７において、サブシステム制御部９０は、充電部８３に電池８６への充電の停止を指示する。
Ｓ８０８において、サブシステム制御部９０は、表示パネル２９に充電状態がフル充電であることを示す図３（Ｅ）のような表示をするとともに、システム制御部５０へ液晶モニタ２７に図３（Ｅ）が示すような表示をする指示を行い、処理を終了する。
【００７７】
Ｓ８０９において、サブシステム制御部９０は、電池８６に充電するための接続ケーブル１１１が接続ケーブルＩ／Ｆ９５から抜かれたか判定し、接続ケーブル１１１が抜かれた場合はＳ８１０へ遷移し、抜かれていない場合は処理を終了する。
Ｓ８１０において、サブシステム制御部９０は、充電部８３に電池８６への充電の停止を指示する。
Ｓ８１１において、サブシステム制御部９０は、電源オフ中の電池残量の表示処理と同様の表示処理を行う。具体的には、この処理は、上述の図５が示すフローチャートの処理と同様である。このように、フル充電となる前に充電が中断（中止）してしまった場合に、詳細に電池残量を表示する。これによって、次回、デジタルカメラ１００を使用するために十分な残量まで充電できたかどうか、すなわち、さらに充電を継続するか電池を交換するかしておいた方がよいか否かを、ユーザーが正確に判断することができる。なお、Ｓ８１１において、図５が示すフローチャートの処理ではなく、図７が示すフローチャートの処理が行われてもよい。
【００７８】
なお、上述した実施形態はデジタルカメラ１００に電池が１個の構成であるが、デジタルカメラ１００の電池は２個以上でもよい。電池が２個以上挿入されている場合の電池残量表示は、現在電源を供給している電池のみを表示しても、挿入されているすべての電池について表示してもよい。また、デジタルカメラ１００に接続されるアクセサリの電池残量をデジタルカメラ１００で取得できる構成おいては、アクセサリの電池残量を表示してもよい。
【００７９】
また、電池残量を、測定部８２で測定するものとして説明したが、電池の種別によっては、電池が有する制御部で電池残量を測定可能なものもある。このような電池が装着された場合に、デジタルカメラ１００が備える測定部８２で電池残量を測定するのではなく、電池と通信することにより、電池残量の情報を取得して表示する構成としてもよい。
【００８０】
（効果）
このように、デジタルカメラの電源の状態や電池の充電の状態などに応じて、電池残量の詳細表示や簡易表示を決定することで、より最適な電池残量表示の形態をとることができる。これによれば、例えば、電池残量の表示による電力消費を抑えるとともに、ユーザが確認したい場合に詳細に電池残量を確認できるなどの効果が得られる。
【００８１】
［変形例１］
実施形態１においては、指示部７０からのリクエストやオートパワーオフの解除を考慮し、さらに充電中の表示を考慮した電池残量表示について説明した。変形例１では、電源の状態とその変化、電池８６の装着、充電の中断のみを考慮した電池残量表示について説明する。本変形例におけるデジタルカメラ１００の構成は実施形態１と同様であり図２の示すとおりである。以下にて、本変形例における電池残量表示のフローについて、図９を用いて説明する。なお、簡単のために、本変形例では液晶モニタ２７には電池残量表示は行わないものとする。なお、図９が示すフローチャートの処理は、絶えず、サブシステム制御部９０が繰り返し実施しているものとする。なお、電源スイッチ７４からの電源オンと電源オフの切替指示や電池８６の装着の検知など、図９が示すフローチャートにおける判定結果が変化するようなタイミングでフローチャートが開始されてもよい。また、この処理は、サブシステム制御部９０が、不揮発性メモリ５６に記録されたプログラムをシステムメモリ５２に展開して実行することで実現する。
【００８２】
Ｓ９０１において、サブシステム制御部９０は、電源スイッチ７４の状態を判定して、電源スイッチ７４がオンであれば工程はＳ９０８に遷移し、電源スイッチ７４がオフであれば工程はＳ９０２に遷移する。
Ｓ９０２において、サブシステム制御部９０は、電源スイッチ７４が操作されて、電源オン状態とする切り替え指示がされたか否かを判定する。工程は、電源オンにする指示がされた場合はＳ９０３に遷移し、電源オンにする指示がされていない場合はＳ９０４へ遷移する。
Ｓ９０３において、サブシステム制御部９０は、所定の期間において、詳細な電池残量の表示を表示パネル２９に行う。つまり、サブシステム制御部９０は、電池残量の簡易表示または非表示から、詳細表示に切り替える。なお、本変形例では、既に表示パネル２９に電池残量が表示されていたか否かに関わらず、サブシステム制御部９０は、詳細な電池残量の表示を表示パネル２９に行うものとする。
【００８３】
Ｓ９０４において、サブシステム制御部９０は、検知部８１を制御して、デジタルカメラ１００に電池８６が新たに装着されたか否かを判定する。電池８６が新たに装着されている場合には、Ｓ９０３に遷移し、新たに装着されていない場合には、Ｓ９０５に遷移する。
【００８４】
Ｓ９０５において、サブシステム制御部９０は、充電部８３を介して充電中であるかを判定し、充電中である場合はＳ９０６へ遷移し、充電中でない場合はＳ９０７に遷移する。
Ｓ９０６において、サブシステム制御部９０は、充電部８３が電池８６に対する充電を中断するか否かを判定する。これは、実施形態１とは異なり電池８６がフル充電である状態であっても、この判定が行われる。電池８６に対する充電が中断されれば、工程はＳ９
０３に遷移し、充電が中断されなければ工程はＳ９０７に遷移する。
Ｓ９０７において、サブシステム制御部９０は、表示パネル２９に電池残量の表示をしないよう（非表示）に制御する。
【００８５】
Ｓ９０８において、サブシステム制御部９０は、充電部８３を介して充電中であるかを判定し、充電中である場合はＳ９０９へ遷移し、充電中でない場合はＳ９１０に遷移する。
Ｓ９０９において、サブシステム制御部９０は、充電部８３が電池８６に対する充電を中断するか否かを判定する。これは、実施形態１とは異なり電池８６がフル充電である状態であっても、この判定が行われる。なお、この判定は、実施形態１と同様に接続ケーブル１１１が接続ケーブルＩ／Ｆ９５から抜かれたか否かで行うことができる。電池８６に対する充電が中断されれば、工程はＳ９０３に遷移し、充電が中断されなければ工程はＳ９１０に遷移する。
Ｓ９１０において、サブシステム制御部９０は、表示パネル２９に、図３（Ａ）が示すような粒度の粗い電池残量の表示を行う。
【００８６】
このような処理により、「電源オフ状態において電池８６がデジタルカメラ１００に装着される場合」、「電池８６の充電が中断される場合」、「電源オフ状態から電源オン状態にされる場合」の３つの場合に電池残量の詳細表示がされる。なお、それ以外の場合には、電源オン状態であれば電池残量の簡易表示がされ、電源オフ状態であれば電池残量は表示されない。
【００８７】
なお、図９のフローチャートが示す処理はサブシステム制御部９０が行うと説明したが、システム制御部５０が行ってもよい。この場合には、実施形態１のように、電源オフの状態であれば、サブシステム制御部９０からの制御によってシステム制御部５０が作動するようにすればよい。また、電池残量の詳細表示と簡易表示とは同一の制御部が行う必要はなく、例えば、電池残量の詳細表示を行う場合はシステム制御部５０が行い、電池残量の簡易表示を行う場合はサブシステム制御部９０が行うようにしてもよい。
【００８８】
（効果）
以上、変形例１によれば、実施形態１よりも簡素な構成で、より適切な表示形態で電池残量の表示をすることが可能である。また、システム制御部５０を用いることなくサブシステム制御部９０のみで電池残量表示の形態の決定や切り替えができるため、消費電力を抑えることが可能である。
【００８９】
なお、システム制御部５０またはサブシステム制御部９０が行うものとして説明した上述の各種制御は１つのハードウェアが行ってもよいし、複数のハードウェア（例えば、複数のプロセッサや回路）が処理を分担することで、装置全体の制御を行ってもよい。
【００９０】
また、本発明をその好適な実施形態に基づいて詳述してきたが、本発明はこれら特定の実施形態に限られるものではなく、この発明の要旨を逸脱しない範囲の様々な形態も本発明に含まれる。さらに、上述した各実施形態は本発明の一実施形態を示すものにすぎず、各実施形態を適宜組み合わせることも可能である。
【００９１】
また、上述した実施形態においては、本発明に係る電子機器をデジタルカメラに適用した場合を例にして説明したが、これはこの例に限定されず電池の充電状態を表示する電子機器であれば適用可能である。すなわち、本発明はパーソナルコンピュータやＰＤＡ、携帯電話端末や携帯型の画像ビューワ、ディスプレイを備えるプリンタ装置、デジタルフォトフレーム、音楽プレーヤー、ゲーム機、電子ブックリーダーなどに適用可能である。
【００９２】
（他の実施形態）
本発明は、以下の処理を実行することによっても実現される。即ち、上述した実施形態の機能を実現するソフトウェア（プログラム）をネットワーク又は各種記憶媒体を介してシステム或いは装置に供給し、そのシステム或いは装置のコンピュータ（又はＣＰＵやＭＰＵなど）がプログラムコードを読み出して実行する処理である。この場合、そのプログラム、および該プログラムを記憶した記憶媒体は本発明を構成することになる。
【符号の説明】
【００９３】
２７    ：液晶モニタ
２９    ：表示パネル
５０    ：システム制御部
７４    ：電源スイッチ
８０    ：電源制御部
８１    ：検知部
８６    ：電池
９０    ：サブシステム制御部
１００  ：デジタルカメラ
【図１】
2019198137.tif 000003
【図２】
2019198137.tif 000004
【図３】
2019198137.tif 000005
【図４】
2019198137.tif 000006
【図５】
2019198137.tif 000007
【図６】
2019198137.tif 000008
【図７】
2019198137.tif 000009
【図８】
2019198137.tif 000010
【図９】
2019198137.tif 000011